【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ａ）少なくとも１種のポリエーテルポリオールと、少なくとも１種のポリエステルポリオールとの混合物であって、前記ポリエーテルポリオールおよび前記ポリエステルポリオールが、それぞれ独立して３００〜３５００ｇ／モルの数平均分子量を有する混合物、
ｂ）１分子あたり２〜４個のヒドロキシル基、および２００ｇ／モル未満の数平均分子量を有する少なくとも１種のポリオール
ｃ）２００〜６００ｇ／モルの数平均分子量を有する少なくとも１種のポリアミン、および
ｄ）Ｓｎ含有触媒およびＢｉ含有触媒から選択される少なくとも１種の触媒
を含む成分Ａと；
ｅ）３００〜３５００ｇ／モルの数平均分子量を有する少なくとも１種のポリエーテルポリオール、および
ｆ）少なくとも１種のポリイソシアネート
を反応させて調製されるＮＣＯ末端プレポリマーを含む成分Ｂであって、前記プレポリマーのＮＣＯ含有量は、成分Ｂの総重量を基準として、４〜１３重量％である成分Ｂと
から成る、２成分ポリウレタン組成物。
【請求項２】
前記成分ｂ）はジオールである、請求項１に記載の２成分ポリウレタン組成物。
【請求項３】
前記成分ｃ）はポリエーテルアミンである、請求項１または２に記載の２成分ポリウレタン組成物。
【請求項４】
前記ポリイソシアネートは、ポリメリックジフェニルメタンジイソシアネート（ＰＭＤＩ）、カルボジイミド変性またはウレトジオン変性ジフェニルメタンジイソシアネート（ＭＤＩ）、およびこれらの組み合わせから選択される、請求項１〜３のいずれかに記載の２成分ポリウレタン組成物。
【請求項５】
前記成分Ａは、スピンドルＰＰ２５／Ｓを用いてAnton Paar機器で測定される２３℃における粘度が、１０．０〜４０．０Ｐａ・ｓである、請求項１〜４のいずれかに記載の２成分ポリウレタン組成物。
【請求項６】
前記成分Ｂは、スピンドル６＃を用いてBrookfield RVT機器で測定される２３℃における粘度が、４．０〜１０．０Ｐａ・ｓである、請求項１〜５のいずれかに記載の２成分ポリウレタン組成物。
【請求項７】
成分Ａと成分Ｂとの体積比は、１：３〜３：１、好ましくは１：２〜２：１の範囲内、最も好ましくは約１：１である、請求項１〜６のいずれかに記載の２成分ポリウレタン組成物。
【請求項８】
前記Ｓｎ含有触媒は、ジブチル錫ジラウレート、ビス（２−エチルヘキサノエート）錫、ジブチル錫ジラウリルメルカプチド、ジブチル錫ジアセテート、ジブチル錫ビス−メルカプチド、ジブチル錫メルカプチド、ジブチル錫ジチオグリコレート、およびジオクチル錫ジラウレートを含む群から選択され；および／または前記Ｂｉ含有触媒は、ビスマスイソ−オクトエート、ビスマスラウレート、ビスマスナフテネートおよびビスマスネオデカノエートを含む群から選択される、請求項１〜７のいずれかに記載の２成分ポリウレタン組成物。
【請求項９】
Ｓｎ含有触媒およびＢｉ含有触媒から選択される少なくとも１種の触媒に加えて、成分ｄ）は、ブロックアザ型触媒をさらに含み、前記ブロックアザ型触媒は、ブロック剤でブロックされたアザ型触媒である、請求項１〜８のいずれかに記載の２成分ポリウレタン組成物。
【請求項１０】
前記アザ型触媒は、１，５−ジアザ−ビシクロ（５．４．０）ウンデカ−５−エンおよび１，８−ジアザ−ビシクロ（５．４．０）ウンデカ−７−エンから選択される、請求項９に記載の２成分ポリウレタン組成物。
【請求項１１】
成分Ａの総重量を基準として、０．１〜０．５重量％、好ましくは０．２〜０．４重量％のブロックアザ型触媒を含む、請求項９または１０に記載の２成分ポリウレタン組成物。
【請求項１２】
成分Ａの総重量を基準として、
ａ）５〜５０重量％の、少なくとも１種のポリエーテルポリオールと、少なくとも１種のポリエステルポリオールとの混合物であって、前記ポリエーテルポリオールおよび前記ポリエステルポリオールが、それぞれ独立して３００〜３５００ｇ／モルの数平均分子量を有する混合物、
ｂ）１〜８重量％の、１分子あたり２〜４個のヒドロキシル基、および２００ｇ／モル未満の数平均分子量を有する少なくとも１種のポリオール、
ｃ）０．０５〜２．５重量％の、２００〜６００ｇ／モルの数平均分子量を有する少なくとも１種のポリアミン、
ｄ）０．０１〜０．１重量％の、Ｓｎ含有触媒およびＢｉ触媒から選択される少なくとも１種の触媒、および任意に、０．１〜０．５重量％のブロックアザ型触媒；および
ｇ）３５〜８０重量％の添加剤
を含む成分Ａと；
成分Ｂの総重量を基準として、
ｅ）４０〜７０重量％の３００〜３５００ｇ／モルの数平均分子量を有する少なくとも１種のポリエーテルポリオール、および
ｆ）３０〜６０重量％の少なくとも１種のポリイソシアネート
を反応させて調製されるＮＣＯ末端プレポリマーであり、前記プレポリマーのＮＣＯ含有量が４〜１３重量％である成分Ｂと
から成る、請求項１〜１１のいずれかに記載の２成分ポリウレタン組成物。
【請求項１３】
ａ）請求項１〜１２のいずれかに記載の２成分ポリウレタン組成物の成分Ａと成分Ｂとを共に混合して、ポリウレタン組成物を得る工程；
ｂ）得られたポリウレタン組成物を一方の基材の表面に塗布する工程；
ｃ）前記ポリウレタン組成物が塗布された基材を、もう一方の基材と接触させる工程；
ｄ）前記貼り合わせ基材を８０〜１００℃に加熱する工程
を含む、２つの基材を貼り合わせる方法。
【請求項１４】
請求項１３に記載の方法から得られる硬化生成物。
【請求項１５】
基材を接着するための請求項１〜１２のいずれかに記載の２成分ポリウレタン組成物の使用であって、前記基材は、好ましくはシート成形コンパウンド（ＳＭＣ）およびプラスチック基材を含む群から選択され、前記プラスチック基材は、好ましくはポリプロピレン（ＰＰ）、ポリカーボネート（ＰＣ）、ポリ（アクリロニトリル−ブタジエン−スチレン）（ＡＢＳ）、ポリ（ポリエチレンテレフタレート）（ＰＥＴ）、ポリ（スチレン−アクリロニトリル）およびこれらのプラスチックのブレンドから選択される、２成分ポリウレタン組成物の使用。
【手続補正２】
【補正対象書類名】明細書
【補正対象項目名】００７５
【補正方法】変更
【補正の内容】
【００７５】
本開示の好ましい実施態様では、前記２成分ポリウレタン組成物は、
成分Ａの総重量を基準として、
ａ）５〜５０重量％の、少なくとも１種のポリエーテルポリオールと、少なくとも１種のポリエステルポリオールとの混合物であり、前記ポリエーテルポリオールおよびポリエステルポリオールは、それぞれ独立に、３００〜３５００ｇ／モルの数平均分子量を有する、
ｂ）１〜８重量％の、１分子あたり２〜４個のヒドロキシル基、および２００ｇ／モル未満の数平均分子量を有する少なくとも１種のポリオール、
ｃ）０．０５〜２．５重量％の、２００〜６００ｇ／モルの数平均分子量を有する少なくとも１種のポリアミン、
ｄ）０．０１〜０．１重量％の、Ｓｎ含有触媒およびＢｉ触媒から選択される少なくとも１種の触媒、および任意に、０．１〜０．５重量％のブロックアザ型触媒；および
ｇ）３５〜８０重量％の添加剤
を含む成分Ａと、
成分Ｂの総重量を基準として、
ｅ）４０〜７０重量％の３００〜３５００ｇ／モルの数平均分子量を有する少なくとも１種のポリエーテルポリオール、および
ｆ）３０〜６０重量％の少なくとも１種のポリイソシアネート
を反応させて調製されるＮＣＯ末端プレポリマーであり、前記プレポリマーのＮＣＯ含有量は、成分Ｂの総重量を基準として、４〜１３重量％である、
成分Ｂとから成る。